(57)【要約】      （修正有）【課題】記録媒体がなくても露出制御を許可するようにし、記録媒体無しを確実に報知するようにした電子カメラを提供する。【解決手段】電子カメラに対してメモリカード１０６が未装填の場合に、撮影を許可する動作モードと、撮影を禁止する動作モードとを選択可能にする。撮影を許可するモードでは、レリーズ操作に応じて露出制御を行い、操作者がシャッタの開閉駆動や絞りの駆動の状態などを確認できる。撮影を禁止するモードでは、レリーズ操作に応じない。このとき、外部表示装置１２およびファインダー表示装置１２１にはそれぞれ「−Ｅ−」を、スーパーインポーズ表示装置１２２には「ＮＯ  ＣＡＲＤ」を表示させるが、撮影を許可するモードでは点滅表示、撮影を禁止するモードでは点灯表示させる。【選択図】図２
2006135582.tif 000002
【特許請求の範囲】
【請求項１】
撮像素子と、
前記撮像素子に対する露出制御を行う露出制御手段と、
前記撮像素子から出力された撮像信号による画像データを記録するデータ記録媒体の有無を検出するデータ記録媒体検出手段と、
前記データ記録媒体検出手段によりデータ記録媒体無しが検出されている場合にこれを報知する報知手段と、
前記データ記録媒体無しが検出されている場合の前記露出制御手段の作動許可および作動禁止を択一的に設定する設定手段と、
前記露出制御手段の作動許可時と作動禁止時とで前記報知手段による報知態様を異ならせる報知制御手段とを備えることを特徴とする電子カメラ。
【請求項２】
撮像素子と、
前記撮像素子に対する露出制御を行う露出制御手段と、
前記撮像素子から出力された撮像信号による画像データを記録するデータ記録媒体の有無を検出するデータ記録媒体検出手段と、
前記データ記録媒体検出手段により前記データ記録媒体無しが検出されている場合の前記露出制御手段の作動許可および作動禁止を択一的に設定する設定手段と、
前記データ記録媒体検出手段によりデータ記録媒体無しが検出され、かつ前記露出制御手段の作動が許可されている場合にデータ記録媒体無しが検出されていることを報知する報知手段とを備えることを特徴とする電子カメラ。
【請求項３】
請求項１または２に記載の電子カメラにおいて、
前記報知手段は、筐体に配設される表示装置、ファインダー内に配設される表示装置、およびファインダー光学像に重ねてスーパーインポーズ表示するスーパーインポーズ表示装置の少なくとも１つによって構成されることを特徴とする電子カメラ。
【請求項４】
撮像素子と、
前記撮像素子に対する露出制御を行う露出制御手段と、
前記撮像素子から出力された撮像信号による画像データを記録するデータ記録媒体の有無を検出するデータ記録媒体検出手段と、
前記データ記録媒体検出手段により前記データ記録媒体無しが検出されている場合の前記露出制御手段の作動許可および作動禁止を択一的に設定する第１の設定手段と、
ファインダ装置による光学像に重ねて所定の情報をスーパーインポーズ表示するスーパーインポーズ表示装置と、
前記スーパーインポーズ表示装置の作動許可および作動禁止を択一的に設定する第２の設定手段と、
前記データ記録媒体検出手段によりデータ記録媒体無しが検出され、かつ前記露出制御手段の作動が許可されている場合に、前記スーパーインポーズ表示装置の作動許可／作動禁止にかかわらずデータ記録媒体無しが検出されていることを示す表示を前記スーパーインポーズ表示装置に行わせる表示制御手段とを備えることを特徴とする電子カメラ。
【発明の詳細な説明】
【技術分野】
【０００１】
本発明は、メモリカードなどの記録媒体を挿抜可能な電子カメラに関する。
【背景技術】
【０００２】
画像の記録先がない場合にレリーズを禁止する電子カメラが知られている（特許文献１参照）。特許文献１には、電子カメラに記録媒体が装填されておらず、内蔵メモリにも空き容量がない場合に、メモリ空きなし警告表示を行うと共にレリーズを禁止する電子カメラが開示されている。
【０００３】
【特許文献１】特開２００３−８９６５号公報
【発明の開示】
【発明が解決しようとする課題】
【０００４】
電子カメラに画像の記録先がない場合でも、電子カメラの露出制御（シャッタの開閉駆動や絞りの駆動など）を確認するためにレリーズを許可したい場合がある。特許文献１に開示される電子カメラでは、画像の記録先がない状態では露出動作を確認することができない。画像の記録先がなくてもレリーズを許可するように構成する場合には、操作者は画像の記録先が存在するものと勘違いして、記録媒体が未装填にもかかわらずレリーズ操作（撮影指示）を行ってしまうおそれがある。
【課題を解決するための手段】
【０００５】
請求項１に記載の発明による電子カメラは、撮像素子と、撮像素子に対する露出制御を行う露出制御手段と、撮像素子から出力された撮像信号による画像データを記録するデータ記録媒体の有無を検出するデータ記録媒体検出手段と、データ記録媒体検出手段によりデータ記録媒体無しが検出されている場合にこれを報知する報知手段と、データ記録媒体無しが検出されている場合の露出制御手段の作動許可および作動禁止を択一的に設定する設定手段と、露出制御手段の作動許可時と作動禁止時とで報知手段による報知態様を異ならせる報知制御手段とを備えることを特徴とする。
請求項２に記載の発明による電子カメラは、撮像素子と、撮像素子に対する露出制御を行う露出制御手段と、撮像素子から出力された撮像信号による画像データを記録するデータ記録媒体の有無を検出するデータ記録媒体検出手段と、データ記録媒体検出手段によりデータ記録媒体無しが検出されている場合の露出制御手段の作動許可および作動禁止を択一的に設定する設定手段と、データ記録媒体検出手段によりデータ記録媒体無しが検出され、かつ露出制御手段の作動が許可されている場合にデータ記録媒体無しが検出されていることを報知する報知手段とを備えることを特徴とする。
請求項４に記載の発明による電子カメラは、撮像素子と、撮像素子に対する露出制御を行う露出制御手段と、撮像素子から出力された撮像信号による画像データを記録するデータ記録媒体の有無を検出するデータ記録媒体検出手段と、データ記録媒体検出手段によりデータ記録媒体無しが検出されている場合の露出制御手段の作動許可および作動禁止を択一的に設定する第１の設定手段と、ファインダ装置による光学像に重ねて所定の情報をスーパーインポーズ表示するスーパーインポーズ表示装置と、スーパーインポーズ表示装置の作動許可および作動禁止を択一的に設定する第２の設定手段と、データ記録媒体検出手段によりデータ記録媒体無しが検出され、かつ露出制御手段の作動が許可されている場合に、スーパーインポーズ表示装置の作動許可／作動禁止にかかわらずデータ記録媒体無しが検出されていることを示す表示をスーパーインポーズ表示装置に行わせる表示制御手段とを備えることを特徴とする。
【発明の効果】
【０００６】
請求項１に記載の発明による電子カメラでは、記録媒体がなくても露出制御を許可するようにし、記録媒体無しを報知する場合には露出制御の作動が許可されているか否かで報知態様を異ならせるようにした。したがって、記録媒体無しを使用者に確実に報知することができ、使用者が記録媒体があるものと勘違いして撮影しようとすることを防止できる。
請求項２に記載の発明による電子カメラでは、記録媒体がなくても露出制御を許可するようにし、記録媒体無しを報知する場合には露出制御の作動が許可されている場合に報知を行うようにした。したがって、記録媒体無しを使用者に確実に報知することができ、使用者が記録媒体があるものと勘違いして撮影しようとすることを防止できる。
請求項４に記載の発明による電子カメラでは、記録媒体がなくても露出制御を許可するようにし、露出制御の作動が許可されている状態で記録媒体無しを報知する場合にはスーパーインポーズ表示装置の作動が禁止されていてもスーパーインポーズ表示装置で報知するようにした。したがって、記録媒体無しを使用者に確実に報知することができ、使用者が記録媒体があるものと勘違いして撮影しようとすることを防止できる。
【発明を実施するための最良の形態】
【０００７】
以下、図面を参照して本発明を実施するための最良の形態について説明する。
（第一の実施形態）
図１は、本発明の第一の実施形態による電子カメラの上面図である。電子カメラ１は、カメラ本体２に交換レンズ３を装着して使用される。カメラ本体２には、メインスイッチ１１と、レリーズボタン１５と、外部表示装置１２と、メインコマンドダイヤル１３と、サブコマンドダイヤル１４と、画質記録設定スイッチ１６と、カスタム設定スイッチ１７とが備えられている。
【０００８】
図２は、図１の電子カメラ１の構成を示すブロック図である。図２において、ＣＣＤなどの撮像素子１０２は、交換レンズ３を通過した被写体像を撮像して撮像信号を出力する。駆動回路１０３は、タイミング信号を発生して撮像素子１０２に駆動信号を供給する。撮像素子１０２から出力された撮像信号は、撮像信号処理回路１０４へ送られる。
【０００９】
撮像信号処理回路１０４は、不図示のＡ／Ｄ変換回路を含み、撮像素子１０２から入力されたアナログ撮像信号をデジタル信号に変換する。撮像信号処理回路１０４はさらに、デジタル撮像信号に対してホワイトバランス（ＷＢ）調整などの画像処理、画像処理後の画像データを所定の形式で圧縮する圧縮処理、圧縮されたデータを伸長する伸長処理などを行う。記録回路１０５は、画像データをフラッシュメモリなどのメモリカード１０６に記録する。メモリカード１０６は、画像処理後の画像データが記録されるカードタイプの記録媒体であり、カメラ本体２に対して着脱可能に構成されている。メモリカード１０６は、コントローラ１０７によってカメラ本体２に対する装填の有無やメモリカード１０６内の記録領域が管理される。
【００１０】
測光装置１２０は、被写体輝度を検出して検出信号を演算回路１０１に出力する。演算回路１０１は、輝度検出信号を用いて露出演算を行う他、電子カメラ１で必要な各種演算とカメラ動作のシーケンス制御とを行う。撮影シーケンス装置１１９は、演算回路１０１の指令によって不図示のシーケンスモータを駆動制御し、不図示のミラーのアップ／ダウン、不図示の絞りの駆動、および不図示のシャッタのチャージなど、撮影時のシーケンス制御を行う。外部表示装置１２は、たとえば、カメラ本体２の筐体外部に配設される液晶表示器によって構成され、電子カメラ１の設定内容を示す情報などを文字やマークで表示する。駆動回路１１８は、演算回路１０１から出力される指令に応じて、外部表示装置１２、ファインダー表示装置１２１、およびスーパーインポーズ表示装置１２２をそれぞれ駆動する。
【００１１】
ファインダー表示装置１２１は、ファインダー装置の接眼レンズ（不図示）から被写体像（光学像）を観察する際に、被写体像とともに表示内容を観察できるように配設した表示素子によって構成される。スーパーインポーズ表示装置１２２は、被写体像（光学像）に重ねて表示情報をオーバーレイ表示するように配設した表示素子によって構成される。
【００１２】
レリーズスイッチ１１４は、図１のレリーズボタン１５に連動してレリーズ操作信号を演算回路１０１に出力する。オン操作スイッチ１１３は、図１のメインスイッチ１１に連動して電源オン操作信号を演算回路１０１に出力する。画像記録設定スイッチ１６は、メモリカード１０６へ画像データを記録する際の画像記録容量にかかわる操作信号を演算回路１０１に出力する。カスタム設定スイッチ１７は、カスタム設定にかかわる操作信号を演算回路１０１に出力する。
【００１３】
なお、カスタム設定にかかわる操作とは、メモリカード１０６などの記録媒体が電子カメラ１（カメラ本体２）に装填されていない場合の撮影（露出制御）の許可および禁止を択一的に設定する操作である。
【００１４】
メインコマンドダイヤル１３は、Ａ相の操作信号を出力するスイッチ１０８と、Ｂ相の操作信号を出力するスイッチ１０９とで構成され、ダイヤル回転操作に応じて操作信号を出力する。演算回路１０１は、Ａ相およびＢ相による両信号の位相差によってメインコマンドダイヤル１３の回転方向を検出する。サブコマンドダイヤル１４は、Ａ相の操作信号を出力するスイッチ１１０と、Ｂ相の操作信号を出力するスイッチ１１１とで構成され、ダイヤル回転操作に応じて操作信号を出力する。演算回路１０１は、Ａ相およびＢ相による両信号の位相差によってサブコマンドダイヤル１４の回転方向を検出する。
【００１５】
演算回路１０１は、画像記録設定スイッチ１６が操作された状態でメインコマンドダイヤル１３が回転操作されると、回転操作に応じて撮像信号処理回路１０４に以下の指示を行う。すなわち、メモリカード１０６に画像データを記録する際の記録画質を変更するために、撮像信号処理回路１０４に画像処理の要否および圧縮処理時の圧縮率を指示する。記録画質は、たとえば、次の５通りに変更可能に構成されている。
画質［１］画像データに画像処理を施さずに記録する「ＲＡＷ」
画質［２］画像処理後の画像データを非圧縮で記録する「ＴＩＦＦ」
画質［３］画像処理後の画像データを圧縮率約１／４で記録する「ＦＩＮＥ」
画質［４］画像処理後の画像データを圧縮率約１／８で記録する「ＮＯＲＭＡＬ」
画質［５］画像処理後の画像データを圧縮率約１／１６で記録する「ＢＡＳＩＣ」
【００１６】
演算回路１０１は、画像記録設定スイッチ１６が操作された状態でサブコマンドダイヤル１４が回転操作されると、回転操作に応じて駆動回路１０３および撮像信号処理回路１０４に以下の指示を行う。すなわち、撮像素子１０２から読み出す１画面当たりの信号の数（１画像当たりの画素数）の変更を駆動回路１０３および撮像信号処理回路１０４に指示する。これにより、メモリカード１０６に画像データを記録する記録画素数が変更される。記録画素数は、たとえば、次の３段階に変更可能に構成されている。
画素数［１］１画面を構成する画素数が２０４８×１５３６ドットの「Ｌサイズ」
画素数［２］１画面を構成する画素数が１０２４×７６８ドットの「Ｍサイズ」
画素数［３］１画面を構成する画素数が６４０×４８０ドットの「Ｓサイズ」
【００１７】
演算回路１０１は、カスタム設定スイッチ１７が操作された状態でサブコマンドダイヤル１４が回転操作されると、回転操作に応じてメモリカード１０６が電子カメラ１に装填されていない場合の撮影（露出制御動作）の許可、禁止の選択を交互に変更する。
【００１８】
図３(a)は、外部表示装置１２の表示セグメントを説明する図である。画素数用セグメント２１は、記録画素数を示す表示に使用される。画素数用セグメント２１を構成する「Ｌ」は、上記画素数［１］の場合に点灯される。画素数用セグメント２１を構成する「Ｍ」は、上記画素数［２］の場合に点灯される。画素数用セグメント２１を構成する「Ｓ」は、上記画素数［３］の場合に点灯される。
【００１９】
画質用セグメント２２は、記録画質を示す表示に使用される。画質用セグメント２２を構成する「ＲＡＷ」は、上記画質［１］の場合に点灯される。画質用セグメント２２を構成する「ＴＩＦＦ」は、上記画質［２］の場合に点灯される。画質用セグメント２２を構成する「ＦＩＮＥ」は、上記画質［３］の場合に点灯される。画質用セグメント２２を構成する「ＮＯＲＭ」は、上記画質［４］の場合に点灯される。画質用セグメント２２を構成する「ＢＡＳＩＣ」は、上記画質［５］の場合に点灯される。
【００２０】
セグメント２３は、撮影時のシャッター秒時（シャッター速度）などの表示に使用される。セグメント２４は、撮影時の絞り値の表示に使用される。カスタム表示用セグメント２５は、カスタム設定表示に使用される。ホワイトバランス表示用セグメント２６は、ホワイトバランス表示に使用される。図３(a)において「Ａ」の表示はオートのホワイトバランス（ＷＢ）を表し、「Ａ」の表示の右のマークはそれぞれマニュアルＷＢを表す。「Ａ」の表示の右のマークは順に、電球、蛍光灯、太陽、閃光装置、曇天、日陰による照明光を表す。数値用セグメント２７は、残コマ数などのカウンタ表示に使用される。数値用セグメント２７は、いわゆる７セグメントで構成される表示素子を３組備え、数値の場合に３桁まで表示するように構成されている。
【００２１】
外部表示装置１２は、以上説明したセグメント以外にもセグメントを有するが、本発明の特徴的な構成と異なるセグメントについてはその説明を省略する。
【００２２】
図３(b)は、ファインダー表示装置１２１およびスーパーインポーズ表示装置１２２の表示例を示す図である。ファインダー表示装置１２１はシャッタ速度、絞り値、残コマ数を表示し、スーパーインポーズ表示装置１２２は、後述する条件によって「ＮＯ  ＣＡＲＤ」をファインダー像に重ねてスーパーインポーズ表示する。
【００２３】
電子カメラ１の演算回路１０１で行われるカメラ動作の処理について、図４〜図６のフローチャートを参照して説明する。図４〜図６によるプログラムは、電子カメラ１に不図示の電池が装填されると起動して繰り返される。図４のステップＳ１において、演算回路１０１は以下の初期設定を行う。すなわち、画質パラメータＱに４を、画素数パラメータＳに１を、カスタムフラグＲに０を、それぞれセットしてステップＳ２へ進む。
【００２４】
ここで、画質パラメータＱは、上述した記録画質［１］〜［５］に対応してそれぞれＱ＝１〜５がセットされるパラメータである。初期設定では、記録画質が「ＮＯＲＭＡＬ」に設定される。画素数パラメータＳは、上述した記録画素数［１］〜［３］に対応してそれぞれＳ＝１〜３がセットされるパラメータである。初期設定では、記録画素数が「Ｌサイズ」に設定される。
【００２５】
カスタムフラグＲは、上述したカスタム設定によってメモリカード１０６が電子カメラ１に装填されていないときに撮影（露出制御動作）を禁止するように設定された場合に０となり、メモリカード１０６が電子カメラ１に装填されていないときに撮影（露出制御動作）を許可するように設定された場合に１とされるフラグである。初期設定ではカスタムフラグＲが０に設定され、メモリカード１０６が電子カメラ１に装填されていない場合の撮影（露出制御動作）が禁止される。
【００２６】
ステップＳ２において、演算回路１０１は、電源スイッチがオンされているか否かを判定する。演算回路１０１は、オン操作スイッチ１１３から電源オン操作信号が入力されている場合にステップＳ２を肯定判定してステップＳ３へ進み、電源オン操作信号が入力されていない場合にはステップＳ２を否定判定し、図５のステップＳ３１へ進む。ステップＳ３へ進む場合は電子カメラ１のメインスイッチ１１（図１）がオンされている場合であり、ステップＳ３１へ進む場合は電子カメラ１のメインスイッチ１１（図１）がオフされている場合である。
【００２７】
ステップＳ３において、演算回路１０１は、設定処理を行ってステップＳ４へ進む。設定処理の詳細については後述する。ステップＳ４において、演算回路１０１は、測光装置１２０から入力される検出信号によって被写体輝度を演算する測光を行い、ステップＳ５へ進む。ステップＳ５において、演算回路１０１は、所定の露出演算処理を行ってステップＳ６へ進む。
【００２８】
ステップＳ６において、演算回路１０１は、電源スイッチがオンされているか否かを判定する。演算回路１０１は、オン操作スイッチ１１３から電源オン操作信号が入力されている場合にステップＳ６を肯定判定してステップＳ７へ進み、電源オン操作信号が入力されていない場合にはステップＳ６を否定判定し、図５のステップＳ３１へ進む。
【００２９】
ステップＳ７において、演算回路１０１はコントローラ１０７に指令を出力し、メモリカード１０６に対するアクセスを行わせてステップＳ８へ進む。ステップＳ８において、演算回路１０１は、メモリカード１０６がカメラに装填されているか否かを判定する。演算回路１０１は、コントローラ１０７による上記アクセスによってメモリカード１０６の装填が検出されると、ステップＳ８を肯定判定してステップＳ９へ進み、メモリカード１０６の装填が検出されない場合には、ステップＳ８を否定判定してステップＳ１７へ進む。
【００３０】
ステップＳ９において、演算回路１０１は、コントローラ１０７によって検出されるメモリカード１０６の未記録領域の記録容量（残容量）と、電子カメラ１に設定されている記録画素数と記録画質によって未記録領域に記録可能なコマ数、すなわち、残コマ数Ｎを算出してステップＳ１０へ進む。残コマ数Ｎは、残容量を１画像当たりの画像記録容量で除算して求める。残コマ数Ｎは、記録画素数および記録画質のいずれを変更しても変化する。
【００３１】
ステップＳ１０において、演算回路１０１は駆動回路１１８に指令を出力し、残コマ数Ｎの値、シャッター秒時や絞り値の撮影情報、記録画質、および記録画素数を示す表示などを外部表示装置１２に表示させるとともに、ファインダー表示装置１２１に残コマ数Ｎの値、シャッター秒時や絞り値の撮影情報を表示させてステップＳ１１へ進む。図７は、外部表示装置１２の表示例を示す図である。図７において、記録画素数が「Ｌサイズ」で記録画質が「ＲＡＷ」であることが、セグメント２１およびセグメント２２によってそれぞれ点灯表示されている。また、セグメント２６によってオートＷＢに設定されていることが点灯表示され、残コマ数Ｎが「１０」であることが数値用セグメント２７によって点灯表示されている。
【００３２】
ステップＳ１１において、演算回路１０１は、電源スイッチがオンされているか否かを判定する。演算回路１０１は、オン操作スイッチ１１３から電源オン操作信号が入力されている場合にステップＳ１１を肯定判定してステップＳ１２へ進み、電源オン操作信号が入力されていない場合にはステップＳ１１を否定判定し、図５のステップＳ３１へ進む。
【００３３】
ステップＳ１２において、演算回路１０１はレリーズ操作されたか否かを判定する。演算回路１０１は、レリーズスイッチ１１４からレリーズ操作信号が入力された場合にステップＳ１２を肯定判定してステップＳ１３へ進み、レリーズ操作信号が入力されない場合にはステップＳ１２を否定判定し、ステップＳ２へ戻る。
【００３４】
ステップＳ１３において、演算回路１０１は、駆動回路１０３に撮像素子１０２の駆動を開始させるとともに、撮影シーケンス装置１１９に指令を出力し、不図示の絞り制御および不図示のシャッタ制御など露出制御を行わせてステップＳ１４へ進む。これにより、撮像素子１０２が露光され、撮像素子１０２は撮像面に入射される被写体光の強さに応じて所定時間電荷を蓄積する。ステップＳ１４において、演算回路１０１は、駆動回路１０３に指令を出力し、パラメータＳに応じた画素数の撮像信号を撮像素子１０２から読み出させてステップＳ１５へ進む。
【００３５】
ステップＳ１５において、演算回路１０１は、撮像信号処理回路１０４に画像信号処理を指示してステップＳ１６へ進む。なお、Ｑ＝１（記録画質が「ＲＡＷ」）の場合はステップＳ１５をスキップしてステップＳ１６へ進む。ステップＳ１６において、演算回路１０１は、パラメータＱに応じた圧縮率で圧縮処理するように撮像信号処理回路１０４へ指示するとともに、圧縮処理後の画像データをメモリカード１０６に記録するように記録回路１０５へ指示する。なお、Ｑ＝１（記録画質が「ＲＡＷ」）もしくはＱ＝２（記録画質が「ＴＩＦＦ」）の場合は、非圧縮データを記録するので圧縮処理を省略する。
【００３６】
演算回路１０１は、メモリカード１０６に画像データの記録が終了するとステップＳ２へ戻り、一連の撮影処理を終了する。撮影処理が終了すると図４による処理が繰り返されるので、１コマ記録するごとに残コマ数Ｎを示す表示が更新される。
【００３７】
上述したステップＳ８を否定判定して進むステップＳ１７において、演算回路１０１は、カスタムフラグＲ＝０か否かを判定する。演算回路１０１は、Ｒ＝０（メモリカード１０６が電子カメラ１に装填されていない状態での撮影（露出制御動作）が禁止されている）の場合にステップＳ１７を肯定判定してステップＳ２３へ進み、Ｒ＝１（メモリカード１０６が電子カメラ１に装填されていない状態での撮影（露出制御動作）が許可されている）の場合にはステップＳ１７を否定判定し、ステップＳ１８へ進む。
【００３８】
ステップＳ１８において、演算回路１０１は駆動回路１１８に指令を出力し、外部表示装置１２、ファインダー表示装置１２１およびスーパーインポーズ表示装置１２２にメモリカード１０６が未装填であることを示す表示をさせてステップＳ１９へ進む。カスタムフラグＲ＝１の場合にメモリカード１０６の未装填を示す表示は以下のように行われる。外部表示装置１２には、数値用セグメント２７によって「−Ｅ−」が点滅表示され、ファインダー表示装置１２１にも「−Ｅ−」が点滅表示される。スーパーインポーズ表示装置１２２には、「ＮＯ  ＣＡＲＤ」が点滅表示される。
【００３９】
ステップＳ１９において、演算回路１０１は駆動回路１１８に指令を出力し、外部表示装置１２およびファインダー表示装置１２１にシャッター秒時や絞り値の撮影情報を表示させるとともに、さらに外部表示装置１２には記録画質および記録画素数を示す表示などを表示させてステップＳ２０へ進む。図８は、外部表示装置１２の表示例を示す図である。図８において、メモリカード１０６が未装填であることを示す「−Ｅ−」が数値用セグメント２７によって点滅表示されている。
【００４０】
ステップＳ２０において、演算回路１０１は、電源スイッチがオンされているか否かを判定する。演算回路１０１は、オン操作スイッチ１１３から電源オン操作信号が入力されている場合にステップＳ２０を肯定判定してステップＳ２１へ進み、電源オン操作信号が入力されていない場合にはステップＳ２０を否定判定し、図５のステップＳ３１へ進む。
【００４１】
ステップＳ２１において、演算回路１０１はレリーズ操作されたか否かを判定する。演算回路１０１は、レリーズスイッチ１１４からレリーズ操作信号が入力された場合にステップＳ２１を肯定判定してステップＳ２２へ進み、レリーズ操作信号が入力されない場合にはステップＳ２１を否定判定し、ステップＳ２へ戻る。
【００４２】
ステップＳ２２において、演算回路１０１は撮影シーケンス装置１１９に指令を出力し、不図示の絞り制御および不図示のシャッタ制御など露出制御を行わせてステップＳ２へ戻る。なお、メモリカード１０６が未装填の場合には撮像素子１０２の駆動および画像データの記録は行わないように構成されている。
【００４３】
上述したステップＳ１７を肯定判定して進むステップＳ２３において、演算回路１０１は駆動回路１１８に指令を出力し、外部表示装置１２、ファインダー表示装置１２１およびスーパーインポーズ表示装置１２２にメモリカード１０６が未装填であることを示す表示をさせてステップＳ２へ戻る。カスタムフラグＲ＝０の場合にメモリカード１０６の未装填を示す表示は以下のように行われる。外部表示装置１２には、数値用セグメント２７によって「−Ｅ−」が点灯表示され、ファインダー表示装置１２１にも「−Ｅ−」が点灯表示される。スーパーインポーズ表示装置１２２には、「ＮＯ  ＣＡＲＤ」が点灯表示される。この場合の外部表示装置１２の表示例を図示すると図８と同様であるが、「−Ｅ−」が数値用セグメント２７によって点灯表示される点がステップＳ１８の場合と異なる。
【００４４】
図５による処理は、電源スイッチがオフ時に行われる処理である。本実施の形態による電子カメラは、メインスイッチ１１（図１）がオフされている状態でも、演算回路１０１、コントローラ１０７、メモリカード１０６、駆動回路１１８および外部表示装置１２に、不図示の電池からそれぞれ電源供給されるように構成されている。
【００４５】
図５のステップＳ３１において、演算回路１０１は、コントローラ１０７に指令を出力し、メモリカード１０６に対するアクセスを行わせてステップＳ３２へ進む。ステップＳ３２において、演算回路１０１は、メモリカード１０６が電子カメラ１に装填されているか否かを判定する。演算回路１０１は、コントローラ１０７による上記アクセスによってメモリカード１０６の装填が検出されるとステップＳ３２を肯定判定してステップＳ３３へ進み、メモリカード１０６の装填が検出されない場合には、ステップＳ３２を否定判定してステップＳ３６へ進む。
【００４６】
ステップＳ３３において、演算回路１０１は、コントローラ１０７によって検出されるメモリカード１０６の未記録領域の記録容量（残容量）と、電子カメラ１に設定されている記録画素数と記録画質によって未記録領域に記録可能な残コマ数Ｎを算出してステップＳ３４へ進む。
【００４７】
ステップＳ３４において、演算回路１０１は駆動回路１１８に指令を出力し、残コマ数Ｎの値を外部表示装置１２に表示させてステップＳ３５へ進む。
【００４８】
ステップＳ３５において、演算回路１０１は、電源スイッチがオンされているか否かを判定する。演算回路１０１は、オン操作スイッチ１１３から電源オン操作信号が入力されている場合にステップＳ３５を肯定判定して図３のステップＳ３へ進み、オン操作スイッチ１１３から電源オン操作信号が入力されていない場合にはステップＳ３５を否定判定し、ステップＳ３１へ戻る。
【００４９】
一方、ステップＳ３２を否定判定して進むステップＳ３６において、演算回路１０１は、駆動回路１１８に指令を出力し、外部表示装置１２にメモリカード１０６が未装填であることを示す表示をさせてステップＳ３５へ進む。これにより外部表示装置１２には数値用セグメント２７によって「−Ｅ−」が点灯表示される。
【００５０】
設定処理の詳細について、図６のフローチャートを参照して説明する。ステップＳ１０１において、演算回路１０１は、画像記録設定スイッチ１６が押下操作されたか否かを判定する。演算回路１０１は、画像記録設定スイッチ１６から操作信号が入力されている場合にステップＳ１０１を肯定判定してステップＳ１０２へ進み、画像記録設定スイッチ１６から操作信号が入力されていない場合にはステップＳ１０１を否定判定し、ステップＳ１２６へ進む。
【００５１】
ステップＳ１０２において、演算回路１０１は、メインコマンドダイヤル１３が反時計方向に回転されたか否かを判定する。演算回路１０１は、メインコマンドダイヤル１３のスイッチ１０８，１０９から反時計回転を示す操作信号が入力された場合にステップＳ１０２を肯定判定してステップＳ１０３へ進み、反時計回転を示す操作信号が入力されない場合にはステップＳ１０２を否定判定し、ステップＳ１０６へ進む。
【００５２】
ステップＳ１０３において、演算回路１０１は、パラメータＱ＝５か否かを判定する。演算回路１０１は、Ｑ＝５（記録画質がＢＡＳＩＣ）の場合にステップＳ１０３を肯定判定してステップＳ１０５へ進み、Ｑ≠５の場合にステップＳ１０３を否定判定してステップＳ１０４へ進む。ステップＳ１０４において、演算回路１０１は、Ｑに１を加えてステップＳ１１８へ進む。ステップＳ１０５において、演算回路１０１は、Ｑに１をセットしてステップＳ１１８へ進む。反時計回転時にＱ＝５の次にＱ＝１をセットするので、Ｑの値が１→２→３→４→５→１→２…のようにサイクリックに設定される。
【００５３】
ステップＳ１０６において、演算回路１０１は、メインコマンドダイヤル１３が時計方向に回転されたか否かを判定する。演算回路１０１は、メインコマンドダイヤル１３のスイッチ１０８，１０９から時計回転を示す操作信号が入力された場合にステップＳ１０６を肯定判定してステップＳ１０７へ進み、時計回転を示す操作信号が入力されない場合にはステップＳ１０６を否定判定し、ステップＳ１１０へ進む。
【００５４】
ステップＳ１０７において、演算回路１０１は、パラメータＱ＝１か否かを判定する。演算回路１０１は、Ｑ＝１（記録画質がＲＡＷ）の場合にステップＳ１０７を肯定判定してステップＳ１０９へ進み、Ｑ≠１の場合にステップＳ１０７を否定判定してステップＳ１０８へ進む。ステップＳ１０８において、演算回路１０１は、Ｑから１を減算してステップＳ１１８へ進む。ステップＳ１０９において、演算回路１０１は、Ｑに５をセットしてステップＳ１１８へ進む。時計回転時にＱ＝１の次にＱ＝５をセットするので、Ｑの値が５→４→３→２→１→５→４…のようにサイクリックに設定される。
【００５５】
ステップＳ１１０において、演算回路１０１は、サブコマンドダイヤル１４が時計方向に回転されたか否かを判定する。演算回路１０１は、サブコマンドダイヤル１４のスイッチ１１０，１１１から時計回転を示す操作信号が入力された場合にステップＳ１１０を肯定判定してステップＳ１１１へ進み、時計回転を示す操作信号が入力されない場合にはステップＳ１１０を否定判定し、ステップＳ１１４へ進む。
【００５６】
ステップＳ１１１において、演算回路１０１は、パラメータＳ＝３か否かを判定する。演算回路１０１は、Ｓ＝３（記録画素数がＬサイズ）の場合にステップＳ１１１を肯定判定してステップＳ１１３へ進み、Ｓ≠３の場合にステップＳ１１１を否定判定してステップＳ１１２へ進む。ステップＳ１１２において、演算回路１０１は、Ｓに１を加えてステップＳ１１８へ進む。ステップＳ１１３において、演算回路１０１は、Ｓに１をセットしてステップＳ１１８へ進む。時計回転時にＳ＝３の次にＳ＝１をセットするので、Ｓの値が１→２→３→１→２…のようにサイクリックに設定される。
【００５７】
ステップＳ１１４において、演算回路１０１は、サブコマンドダイヤル１４が反時計方向に回転されたか否かを判定する。演算回路１０１は、サブコマンドダイヤル１４のスイッチ１１０，１１１から反時計回転を示す操作信号が入力された場合にステップＳ１１４を肯定判定してステップＳ１１５へ進み、反時計回転を示す操作信号が入力されない場合にはステップＳ１１４を否定判定し、ステップＳ１１８へ進む。
【００５８】
ステップＳ１１５において、演算回路１０１は、パラメータＳ＝１か否かを判定する。演算回路１０１は、Ｓ＝１（記録画素数がＳサイズ）の場合にステップＳ１１５を肯定判定してステップＳ１１７へ進み、Ｓ≠１の場合にステップＳ１１５を否定判定してステップＳ１１６へ進む。ステップＳ１１６において、演算回路１０１は、Ｓから１を減算してステップＳ１１８へ進む。ステップＳ１１７において、演算回路１０１は、Ｓに３をセットしてステップＳ１１８へ進む。反時計回転時にＳ＝１の次にＳ＝３をセットするので、Ｓの値が３→２→１→３→２…のようにサイクリックに設定される。
【００５９】
ステップＳ１１８において、演算回路１０１は、コントローラ１０７に指令を出力し、メモリカード１０６に対するアクセスを行わせてステップＳ１１９へ進む。ステップＳ１１９において、演算回路１０１は、メモリカード１０６が電子カメラ１に装填されているか否かを判定する。演算回路１０１は、コントローラ１０７による上記アクセスによってメモリカード１０６の装填が検出されるとステップＳ１１９を肯定判定してステップＳ１２０へ進み、メモリカード１０６の装填が検出されない場合には、ステップＳ１１９を否定判定してステップＳ１２５へ進む。
【００６０】
ステップＳ１２０において、演算回路１０１は、コントローラ１０７によって検出されるメモリカード１０６の未記録領域の記録容量（残容量）と、電子カメラ１に設定されている記録画素数と記録画質によって未記録領域に記録可能な残コマ数Ｎを算出してステップＳ１２１へ進む。
【００６１】
ステップＳ１２１において、演算回路１０１は駆動回路１１８に指令を出力し、残コマ数Ｎの値を外部表示装置１２に表示させてステップＳ１２２へ進む。ステップＳ１２２において、演算回路１０１は駆動回路１１８に指令を出力し、記録画質、および記録画素数を示す表示を外部表示装置１２に表示させてステップＳ１２３へ進む。
【００６２】
ステップＳ１２３において、演算回路１０１は画像記録設定スイッチ１６が押下操作されているか否かを判定する。演算回路１０１は、画像記録設定スイッチ１６から操作信号が入力されている場合にステップＳ１２３を肯定判定してステップＳ１０２へ戻り、画像記録設定スイッチ１６から操作信号が入力されていない場合にはステップＳ１２３を否定判定し、図６による処理を終了して図４のステップＳ４へ進む。
【００６３】
上述したステップＳ１１９を否定判定して進むステップＳ１２５において、演算回路１０１は、駆動回路１１８に指令を出力し、メモリカード１０６が未装填であることを外部表示装置１２に表示させてステップＳ１２２へ進む。これにより、外部表示装置１２には数値用セグメント２７によって「−Ｅ−」が点灯表示される。
【００６４】
上述したステップＳ１０１を否定判定して進むステップＳ１２６において、演算回路１０１は、カスタム設定スイッチ１７が押下操作されているか否かを判定する。演算回路１０１は、カスタム設定スイッチ１７から操作信号が入力された場合にステップＳ１２６を肯定判定してステップＳ１２７へ進み、カスタム設定スイッチ１７から操作信号が入力されていない場合にはステップＳ１２６を否定判定し、図６による処理を終了して図４のステップＳ４へ進む。
【００６５】
ステップＳ１２７において、演算回路１０１は、サブコマンドダイヤル１４が回転操作されたか否かを判定する。演算回路１０１は、サブコマンドダイヤル１４のスイッチ１１０，１１１から操作信号が入力された場合にステップＳ１２７を肯定判定してステップＳ１２８へ進み、回転を示す操作信号が入力されない場合にはステップＳ１２７を否定判定し、ステップＳ１３１へ進む。
【００６６】
ステップＳ１２８において、演算回路１０１は、カスタムフラグＲ＝０か否かを判定する。演算回路１０１は、Ｒ＝０（メモリカード１０６未装填における撮影（露出制御動作）が禁止されている）の場合にステップＳ１２８を肯定判定してステップＳ１２９へ進み、Ｒ＝１（メモリカード１０６未装填における撮影（露出制御動作）が許可されている）の場合にはステップＳ１２８を否定判定し、ステップＳ１３０へ進む。
【００６７】
ステップＳ１２９において、演算回路１０１は、カスタムフラグＲを１にセットしてステップＳ１３１へ進む。ステップＳ１３０において、演算回路１０１は、カスタムフラグＲを０にセットしてステップＳ１３１へ進む。
【００６８】
ステップＳ１３１において、演算回路１０１は駆動回路１１８に指令を出力し、外部表示装置１２にカスタム設定表示およびカスタムフラグＲの値を表示をさせてステップＳ１２６へ戻る。これにより、外部表示装置１２にはセグメント２４によってフラグＲの値（０もしくは１）が、セグメント２５によって「ＣＳＭ」が点灯表示される。
【００６９】
以上説明した第一の実施形態による電子カメラでは、次の作用効果が得られる。
（１）電子カメラ１に対してメモリカード１０６が未装填の場合に、電子カメラ１の撮影（露出制御動作）を許可する動作モードと、撮影（露出制御動作）を禁止する動作モードとを選択可能に構成した。撮影を許可する動作モード（カスタムフラグＲ＝１）では、メモリカード１０６が未装填であってもレリーズ操作に応じて絞り制御およびシャッタ制御などの露出制御（ステップＳ２２）を行うことにより、操作者がシャッタの開閉駆動や絞りの駆動の状態などを確認できる。撮影を禁止する動作モード（カスタムフラグＲ＝０）では、メモリカード１０６が未装填であるとレリーズ操作の有無を判定する処理へ進まないので、シャッタや絞りなどの不要な駆動を行うことがない。
【００７０】
（２）メモリカード１０６が未装填の状態で撮影を許可する動作モード（カスタムフラグＲ＝１）では、外部表示装置１２およびファインダー表示装置１２１にそれぞれ「−Ｅ−」を点滅表示させるとともに、スーパーインポーズ表示装置１２２には「ＮＯ  ＣＡＲＤ」を点滅表示させて（ステップＳ１８）メモリカード１０６の未装填を操作者に報知するようにした。したがって、撮影が許可される状態でメモリカード１０６の未装填が確実に報知されるので、画像の記録先であるメモリカード１０６が存在するものと操作者が勘違いし、メモリカード１０６が未装填であるにもかかわらず操作者がレリーズ操作（撮影指示）を続けてしまうことを防止できる。
【００７１】
（３）メモリカード１０６が未装填の状態で撮影を禁止する動作モード（カスタムフラグＲ＝０）では、外部表示装置１２およびファインダー表示装置１２１にそれぞれ「−Ｅ−」を点灯表示させるとともに、スーパーインポーズ表示装置１２２には「ＮＯ  ＣＡＲＤ」を点灯表示させて（ステップＳ２３）メモリカード１０６の未装填を操作者に報知するようにした。したがって、メモリカード１０６が未装填であるために撮影できない（レリーズ操作無効）ことが操作者に報知され、操作者が電子カメラ１の故障と勘違いすることを防止できる。
【００７２】
（４）上記（２）および（３）で表示態様を異ならせたので、メモリカード１０６が未装填であることを、撮影を許可する動作モードと撮影を禁止する動作モードとで区別して操作者に報知できる。とくに撮影を許可する動作モードにおいて点滅表示したので、表示を目立たせて確実に使用者に報知することができる。
【００７３】
（第一の変形例）
上述したステップＳ２３において、スーパーインポーズ表示装置１２２による「ＮＯ  ＣＡＲＤ」の点灯表示を省略してもよい。この場合には、メモリカード１０６が未装填の状態で撮影を禁止する動作モード（カスタムフラグＲ＝０）ではスーパーインポーズ表示装置１２２による表示を行わず、メモリカード１０６が未装填の状態で撮影を許可する動作モード（カスタムフラグＲ＝１）ではスーパーインポーズ表示装置１２２に「ＮＯ  ＣＡＲＤ」を点滅表示させるので、撮影を許可する動作モードと撮影を禁止する動作モードとの報知態様の差異が操作者にとってわかりやすくなる。とくに撮影を許可する動作モードにおいて点滅表示したので、表示を目立たせて確実に使用者に報知することができる。
【００７４】
（第二の変形例）
上記第一の変形例に加えて、ステップＳ１８においてスーパーインポーズ表示装置１２２により「ＮＯ  ＣＡＲＤ」を点灯表示させてもよい。この場合には、メモリカード１０６が未装填の状態で撮影を禁止する動作モード（カスタムフラグＲ＝０）ではスーパーインポーズ表示装置１２２による表示を行わず、メモリカード１０６が未装填の状態で撮影を許可する動作モード（カスタムフラグＲ＝１）ではスーパーインポーズ表示装置１２２に「ＮＯ  ＣＡＲＤ」を点灯表示させるので、撮影を許可する動作モードと撮影を禁止する動作モードとの報知態様の差異が操作者にとってわかりやすくなる。とくに撮影を許可する動作モードにおいて点灯表示したので、表示を目立たせて確実に使用者に報知することができる。
【００７５】
（第三の変形例）
上記第一の変形例に加えて、ステップＳ１８においてスーパーインポーズ表示装置１２２により「ＮＯ  ＣＡＲＤ」の点灯表示させるとともに、外部表示装置１２およびファインダー表示装置１２１にそれぞれ「−Ｅ−」を点灯表示させるようにしてもよい。この場合にも、メモリカード１０６が未装填の状態で撮影を禁止する動作モード（カスタムフラグＲ＝０）ではスーパーインポーズ表示装置１２２による表示を行わず、メモリカード１０６が未装填の状態で撮影を許可する動作モード（カスタムフラグＲ＝１）ではスーパーインポーズ表示装置１２２に「ＮＯ  ＣＡＲＤ」を点灯表示させるので、撮影を許可する動作モードと撮影を禁止する動作モードとの報知態様の差異が操作者にとってわかりやすくなる。とくに撮影を許可する動作モードにおいて点灯表示したので、表示を目立たせて確実に使用者に報知することができる。
【００７６】
上述した説明では、メモリカード１０６の未装填を示す表示を外部表示装置１２、ファインダー表示装置１２１およびスーパーインポーズ表示装置１２２にそれぞれ行うようにしたが、３つの表示装置の全てに表示しなくてもよく、少なくとも１つで表示するように構成してもよい。
【００７７】
（第二の実施の形態）
第二の実施形態では、スーパーインポーズ表示装置１２２についての表示のオン／オフが切換え可能に構成される。第一の実施形態に比べて、ステップＳ１（図４）の初期設定、ステップＳ１７（図４）を肯定判定した後の処理、および図６による設定処理が異なるので、これら相違点を中心に説明する。
【００７８】
演算回路１０１は、ステップＳ１に代えて以下のように初期設定を行う。すなわち、画質パラメータＱに４を、画素数パラメータＳに１を、カスタムフラグＲに０を、スーパーインポーズ設定表示フラグＴに０を、カスタムパラメータＣに１を、それぞれセットしてステップＳ２へ進む。画質パラメータＱ、画素数パラメータＳ、およびカスタムフラグＲは第一の実施形態と同様である。
【００７９】
スーパーインポーズ設定表示フラグＴは、カスタム設定によってスーパーインポーズ表示装置１２２による表示を行うようにオン設定された場合に０となり、スーパーインポーズ表示装置１２２による表示を行わないようにオフ設定された場合に１となるフラグである。
【００８０】
カスタムパラメータＣは、カスタム設定の番号を表すパラメータである。メモリカード１０６が未装填の状態における撮影の禁止／許可を切換え設定する場合のパラメータＣの値は１である。また、スーパーインポーズ表示装置１２２による表示のオン／オフを切換え設定する場合のパラメータＣの値は２である。
【００８１】
演算回路１０１は、ステップＳ１７（図４）を肯定判定した後に図９に示すフローチャートによる処理を行う。図９のステップＳ１７において、演算回路１０１は、カスタムフラグＲ＝０（メモリカード１０６が電子カメラ１に装填されていない状態での撮影（露出制御動作）が禁止されている）の場合にステップＳ１７を肯定判定してステップＳ２０２へ進む。Ｒ＝１（メモリカード１０６が電子カメラ１に装填されていない状態での撮影（露出制御動作）が許可されている）の場合にはステップＳ１７を否定判定し、ステップＳ１８（図４）へ進む。
【００８２】
ステップＳ２０２において、演算回路１０１は、スーパーインポーズ設定表示フラグＴ＝０か否かを判定する。演算回路１０１は、Ｔ＝０（スーパーインポーズ表示装置１２２による表示がオン設定）の場合にステップＳ２０２を肯定判定してステップＳ２３（図４）へ進み、Ｔ＝１（スーパーインポーズ表示装置１２２による表示がオフ設定）の場合にステップＳ２０２を否定判定してステップＳ２０３へ進む。
【００８３】
ステップＳ２０３において、演算回路１０１は駆動回路１１８に指令を出力し、外部表示装置１２およびファインダー表示装置１２１にメモリカード１０６が未装填であることを示す表示をさせてステップＳ２（図４）へ戻る。カスタムフラグＲ＝０の場合のメモリカード１０６の未装填を示す表示は以下のように行われる。外部表示装置１２には、数値用セグメント２７によって「−Ｅ−」が点灯表示され、ファインダー表示装置１２１にも「−Ｅ−」が点灯表示される。なお、スーパーインポーズ表示装置１２２による表示は行わない。
【００８４】
ステップＳ１７を否定判定した場合にはステップＳ１８（図４）へ進むので、スーパーインポーズ設定表示フラグＴの値にかかわらず（スーパーインポーズ表示装置１２２による表示のオン／オフ設定にかかわらず）、外部表示装置１２、ファインダー表示装置１２１およびスーパーインポーズ表示装置１２２にメモリカード１０６が未装填であることを示す表示が行われる。すなわち、スーパーインポーズ表示装置１２２には、表示オフの設定がされている場合でも「ＮＯ  ＣＡＲＤ」が点滅表示される。
【００８５】
演算回路１０１は、ステップＳ１０１（図６）を否定判定した後に図１０に示すフローチャートの処理を行う。図１０のステップＳ１２６において、演算回路１０１は、カスタム設定スイッチ１７が押下操作されているか否かを判定する。演算回路１０１は、カスタム設定スイッチ１７から操作信号が入力された場合にステップＳ１２６を肯定判定してステップＳ３０１へ進み、カスタム設定スイッチ１７から操作信号が入力されていない場合にはステップＳ１２６を否定判定し、図１０による処理を終了して図４のステップＳ４へ進む。
【００８６】
ステップＳ３０１において、演算回路１０１は、カスタムパラメータＣ＝１か否かを判定する。演算回路１０１は、Ｃ＝１（メモリカード１０６が未装填の状態における撮影の禁止／許可を切換え設定する）の場合にステップＳ３０１を肯定判定してステップＳ３０２へ進み、Ｃ≠１（スーパーインポーズ表示装置１２２による表示のオン／オフを切換え設定する）の場合にはステップＳ３０１を否定判定し、ステップＳ３０３へ進む。
【００８７】
ステップＳ３０２において、演算回路１０１は駆動回路１１８に指令を出力し、外部表示装置１２にカスタム設定表示、カスタムパラメータＣの値およびカスタムフラグＲの値を表示をさせてステップＳ３０４へ進む。これにより、外部表示装置１２にはセグメント２４によってフラグＲの値（０もしくは１）が、セグメント２３によってパラメータＣの値（この場合は１）が、セグメント２５によって「ＣＳＭ」がそれぞれ点灯表示される。
【００８８】
ステップＳ３０３において、演算回路１０１は駆動回路１１８に指令を出力し、外部表示装置１２にカスタム設定表示、カスタムパラメータＣの値およびスーパーインポーズ設定表示フラグＴの値を表示をさせてステップＳ３０４へ進む。これにより、外部表示装置１２にはセグメント２４によってフラグＴの値（０もしくは１）が、セグメント２３によってパラメータＣの値（この場合は２）が、セグメント２５によって「ＣＳＭ」がそれぞれ点灯表示される。
【００８９】
ステップＳ３０４において、メインコマンドダイヤル１３が回転操作されたか否かを判定する。演算回路１０１は、メインコマンドダイヤル１３のスイッチ１０８，１０９から操作信号が入力された場合にステップＳ３０４を肯定判定してステップＳ３０５へ進み、回転を示す操作信号が入力されない場合にはステップＳ３０４を否定判定し、ステップＳ３０８へ進む。
【００９０】
ステップＳ３０５において、演算回路１０１は、カスタムパラメータＣ＝１か否かを判定する。演算回路１０１は、Ｃ＝１の場合にステップＳ３０５を肯定判定してステップＳ３０６へ進み、Ｃ≠１の場合にはステップＳ３０５を否定判定し、ステップＳ３０７へ進む。
【００９１】
ステップＳ３０６において、演算回路１０１はカスタムパラメータＣに２をセットしてステップＳ１２６へ戻る。ステップＳ３０７において、演算回路１０１はカスタムパラメータＣに１をセットしてステップＳ１２６へ戻る。
【００９２】
ステップＳ３０８において、演算回路１０１は、サブコマンドダイヤル１４が回転操作されたか否かを判定する。演算回路１０１は、サブコマンドダイヤル１４のスイッチ１１０，１１１から操作信号が入力された場合にステップＳ３０８を肯定判定してステップＳ３０９へ進み、回転を示す操作信号が入力されない場合にはステップＳ３０８を否定判定し、ステップＳ１２６へ戻る。
【００９３】
ステップＳ３０９において、演算回路１０１は、カスタムパラメータＣ＝１か否かを判定する。演算回路１０１は、Ｃ＝１の場合にステップＳ３０９を肯定判定してステップＳ３１０へ進み、Ｃ≠１の場合にはステップＳ３０９を否定判定し、ステップＳ３１３へ進む。
【００９４】
ステップＳ３１０において、演算回路１０１は、カスタムフラグＲ＝０か否かを判定する。演算回路１０１は、Ｒ＝０（メモリカード１０６未装填における撮影（露出制御動作）が禁止されている）の場合にステップＳ３１０を肯定判定してステップＳ３１１へ進み、Ｒ＝１（メモリカード１０６未装填における撮影（露出制御動作）が許可されている）の場合にはステップＳ３１０を否定判定し、ステップＳ３１２へ進む。
【００９５】
ステップＳ３１１において、演算回路１０１は、カスタムフラグＲを１にセットしてステップＳ１２６へ戻る。ステップＳ３１２において、演算回路１０１は、カスタムフラグＲを０にセットしてステップＳ１２６へ戻る。
【００９６】
ステップＳ３１３において、演算回路１０１は、スーパーインポーズ設定表示フラグＴ＝０か否かを判定する。演算回路１０１は、Ｔ＝０（スーパーインポーズ表示装置１２２による表示がオン設定されている）の場合にステップＳ３１３を肯定判定してステップＳ３１４へ進み、Ｔ＝１（スーパーインポーズ表示装置１２２による表示がオフ設定されている）の場合にはステップＳ３１３を否定判定し、ステップＳ３１５へ進む。
【００９７】
ステップＳ３１４において、演算回路１０１は、スーパーインポーズ設定表示フラグＴを１にセットしてステップＳ１２６へ戻る。ステップＳ３１５において、演算回路１０１は、スーパーインポーズ設定表示フラグＴを０にセットしてステップＳ１２６へ戻る。
【００９８】
以上説明した第二の実施形態によれば、メモリカード１０６が電子カメラ１に装填されていない状態での撮影（露出制御動作）が許可されている場合（図９のステップＳ１７において否定判定）には、スーパーインポーズ表示装置１２２による表示のオン／オフ設定にかかわらず、スーパーインポーズ表示装置１２２に「ＮＯ  ＣＡＲＤ」が点滅表示される。したがって、撮影が許可される状態においてメモリカード１０６の未装填をスーパーインポーズ表示装置１２２によって操作者に必ず報知するので、画像の記録先であるメモリカード１０６が存在するものと操作者が勘違いし、メモリカード１０６が未装填であるにもかかわらず操作者がレリーズ操作（撮影指示）を続けてしまうことを防止できる。
【００９９】
以上の説明では、メモリカード１０６の未装填を視覚的に報知する例を説明した。各表示装置の表示内容「−Ｅ−」、「ＮＯ  ＣＡＲＤ」は表示例であり、他の文字やマーク、あるいはランプなどを点灯させたり点滅させたり、もしくは表示色を変えたりして報知態様を変えるとよい。
【０１００】
表示装置を用いて視覚的に表示する代わりに、音を発して聴覚的な報知を行うようにしてもよい。この場合には、連続音、断続音、音の周波数、あるいはメロディを変えたりして報知態様を変えるとよい。
【０１０１】
視覚的な報知と聴覚的な報知とを組み合わせてもよい。
【０１０２】
特許請求の範囲における各構成要素と、発明を実施するための最良の形態における各構成要素との対応について説明する。露出制御手段は、たとえば、撮影シーケンス装置１１９によって構成される。データ記録媒体は、たとえば、メモリカード１０６によって構成される。データ記録媒体検出手段、設定手段、報知制御手段、第１の設定手段、第２の設定手段、および表示制御手段は、たとえば、演算回路１０１によって構成される。報知手段は、たとえば、外部表示装置１２、ファインダー表示装置１２１、スーパーインポーズ表示装置１２２によって構成される。なお、以上の説明はあくまで一例であり、発明を解釈する上で、上記の実施形態の構成要素と本発明の構成要素との対応関係に何ら限定されるものではない。
【図面の簡単な説明】
【０１０３】
【図１】本発明の第一の実施形態による電子カメラの上面図である。
【図２】図１の電子カメラの構成を示すブロック図である。
【図３】(a)は外部表示装置の表示セグメントを説明する図であり、(b)はファインダー表示装置およびスーパーインポーズ表示装置の表示例を示す図である。
【図４】演算回路で行われるカメラ動作の処理について説明するフローチャートである。
【図５】演算回路で行われるカメラ動作の処理について説明するフローチャートである。
【図６】設定処理の詳細を説明するフローチャートである。
【図７】外部表示装置の表示例を示す図である。
【図８】外部表示装置の表示例を示す図である。
【図９】第二の実施形態によるカメラ動作の処理について説明するフローチャートである。
【図１０】第二の実施形態による設定処理について説明するフローチャートである。
【符号の説明】
【０１０４】
１…電子カメラ
１２…外部表示装置
１３(１０８,１０９)…メインコマンドダイヤル
１４(１０９,１１０)…サブコマンドダイヤル
１６…画像記録設定スイッチ
１７…カスタム設定スイッチ
２１〜２７…表示セグメント
１０１…演算回路
１０２…撮像素子
１０５…記録回路、
１０６…メモリカード
１１３…オン操作スイッチ
１１４…レリーズスイッチ、
１１８…駆動回路
１１９…撮影シーケンス装置
１２１…ファインダー表示装置
１２２…スーパーインポーズ表示装置
【図１】
2006135582.tif 000003
【図２】
2006135582.tif 000004
【図３】
2006135582.tif 000005
【図４】
2006135582.tif 000006
【図５】
2006135582.tif 000007
【図６】
2006135582.tif 000008
【図７】
2006135582.tif 000009
【図８】
2006135582.tif 000010
【図９】
2006135582.tif 000011
【図１０】
2006135582.tif 000012